(57)【要約】【課題】付勢機構の開発費および品番管理費を削減する。【解決手段】便座装置の製造方法が、便蓋と、便座装置本体部とを備え、前記便座装置本体部は、側面視が長い支持軸で前記便蓋を取付ける且つ前記便蓋を全開に付勢する付勢機構を含む便座装置の製造方法であって、前記便蓋を閉じた場合の前記便蓋の底面を角度の基準としたとき、前記便蓋を全開する場合に前記底面の角度が異なる複数の種類の前記便座装置の中から、前記底面の角度が最も大きい便座装置を特定する特定工程と、前記特定工程で特定した便座装置の底面角度を前記付勢機構の軸角度として設定する設定工程と、前記設定工程で設定した前記付勢機構の軸角度に合わせて、前記支持軸がはめられる前記便蓋の穴を形成する形成工程と、を有する。【選択図】  図５ｂ
2016123523.tif 000002
【特許請求の範囲】
【請求項１】
便蓋と、便座装置本体部とを備え、前記便座装置本体部は、側面視が長い支持軸で前記便蓋を取付ける且つ前記便蓋を全開に付勢する付勢機構を含む便座装置の製造方法であって、
前記便蓋を閉じた場合の前記便蓋の底面を角度の基準としたとき、前記便蓋を全開する場合に前記底面の角度が異なる複数の種類の前記便座装置の中から、前記底面の角度が最も大きい便座装置を特定する特定工程と、
前記特定工程で特定した便座装置の底面角度を前記付勢機構の軸角度として設定する設定工程と、
前記設定工程で設定した前記付勢機構の軸角度に合わせて、前記支持軸がはめられる前記便蓋の穴を形成する形成工程と、
を有する便座装置の製造方法。
【発明の詳細な説明】
【技術分野】
【０００１】
本発明は、便座装置の製造方法に関する。
【背景技術】
【０００２】
片側は電動で便蓋を開閉できる駆動機構を備えた自動開閉装置であり、自動開閉装置側とは左右反対側はばねを内蔵し便蓋を全開に付勢する付勢機構である支持軸を持つ便座装置がある。便座装置の支持軸は、便蓋を取付けることが出来る。便座装置は、付勢機構を持つことにより、便蓋軸穴の両側に全開方向のトルクが掛かるため、便蓋のしなりによる便蓋の傾きを防ぎ、美観を保っている（例えば、特許文献１参照。）。
【先行技術文献】
【特許文献】
【０００３】
【特許文献１】特開２０１０−２０１０８３号公報
【発明の概要】
【発明が解決しようとする課題】
【０００４】
しかし、付勢機構は、全開時に、第一の便蓋底面の角度の便座装置に対し第一の軸角度の付勢機構、第二の便蓋底面の角度の便座装置に対し第二の軸角度の付勢機構、というように、全開時の便蓋底面の角度の種類に合わせて、付勢機構の種類を持っていた。そのため、全開時に異なる便蓋底面の角度の便座装置の種類が増えると、付勢機構の種類も増えて、付勢機構の開発費および品番管理費が掛かるという問題があった。
【０００５】
そこで、本発明は、上述した課題を解決するためになされたものであり、付勢機構の開発費および品番管理費を削減することを目的の一つとしている。
【課題を解決するための手段】
【０００６】
本発明の第１態様に係る便座装置の製造方法は、便蓋と、便座装置本体部とを備え、便座装置本体部は、側面視が長い支持軸で便蓋を取付ける且つ便蓋を全開に付勢する付勢機構を含む便座装置の製造方法であって、便蓋を閉じた場合の便蓋底面を角度の基準としたとき、便蓋を全開する場合に便蓋底面の角度が異なる複数の種類の便座装置の中から、便蓋底面の角度が最も大きい便座装置を特定する特定工程と、特定工程で特定した便座装置の便蓋底面の角度を付勢機構の側面視が長い支持軸の角度として設定する設定工程と、設定工程で設定した付勢機構の支持軸の角度に合わせて、付勢機構の支持軸がはめられる便蓋の穴を形成する形成工程とを有する。
【発明の効果】
【０００７】
本発明によれば、全開時の便蓋底面の角度が異なる複数の便座装置であっても、付勢機構の支持軸の角度の種類は一つで良い。そのため、異なる便蓋底面の角度を有した複数の種類の便座装置に対して付勢機構を汎用させ、付勢機構の開発費および品番管理費を削減することができる。
【図面の簡単な説明】
【０００８】
【図１】本発明の実施の形態に係る便座装置の外観を表す模式斜視図である。
【図２】図１に表した便座装置本体部の内部の要部を前方から眺めた斜視図である。
【図３】図１に表した便蓋を背面側から眺めた投影図である。
【図４】図２に表した付勢機構の支持軸側からみた投影図である。
【図５ａ】図１に表した便蓋の左右の軸穴を結んだ中心点から付勢機構側の軸穴を眺めた断面図である。
【図５ｂ】図５ｂの軸穴の部分拡大図である。
【図６ａ】従来の付勢機構と便蓋の角度の関係を示す図である。
【図６ｂ】従来の付勢機構と便蓋の角度の関係を示す図である。
【図７ａ】本発明の付勢機構と便蓋の角度の関係を示す図である。
【図７ｂ】本発明の付勢機構と便蓋の角度の関係を示す図である。
【発明を実施するための形態】
【０００９】
以下、図面を参照しつつ、本発明の実施の形態ついて説明する。なお、本願明細書と各図において、既出の図に関して前述したものと同様の要素には同一の符号を付して詳細な説明は適宜省略する。
【００１０】
図１は本発明の実施の形態に係る便座装置１００の外観を表す模式斜視図である。
【００１１】
図１に表した便座装置１００は、洋式腰掛便器８００の上に設けられ、本体部４００と、便蓋２００と、便座３００と、を有する。便座３００は、便座軸支部３０１と便座軸支部３０２とにより本体部４００に対して開閉自在に軸支されている。便蓋２００は、便蓋軸支部２０１と便蓋軸支部２０２とにより本体部４００に対して開閉自在に軸支されている。また、便蓋２００は、全開に付勢されている。
【００１２】
図２は、図１に表した本体部４００の内部の要部を前方から眺めた斜視図である。
【００１３】
片側の便蓋軸支部２０１は自動開閉装置２１０があり、この片側と左右反対側の便蓋軸支部２０２には付勢機構２２０がある。自動開閉装置２１０および、付勢機構２２０はケースカバー４０１の内部に取り付けられ、自動開閉装置２１０支持軸２１１および、付勢機構の支持軸２２１は、ケースカバー４０１の外部に突出している。
【００１４】
図３は図１に表した便蓋２００を背面側から眺めた投影図である。
【００１５】
便蓋２００は、軸穴２０３と軸穴２０４を有し、それぞれ、自動開閉装置２１０の支持軸２１１と付勢機構２２０の支持軸２２１と嵌合することで、本体部４００と便蓋２００が繋がれている。
【００１６】
図４は、図２に表した付勢機構２２０の支持軸２２１側から見た投影図である。
【００１７】
本発明の便座装置１００の製造方法は、全開時の便蓋底面２０５の角度が最も大きい便座装置１００の特定工程と、特定工程で特定した便座装置１００の便蓋底面２０５の角度から付勢機構２２０の支持軸２２１の角度を設定する設定工程と、付勢機構２２０の支持軸２２１の角度から便蓋軸穴２０５の角度を形成する形成工程とを含む。
まず、特定工程では、全開時の便蓋底面２０５の角度が異なる複数の便座装置１００のうち最も大きい便座装置１００の便蓋底面２０５の角度を、便座装置１００のデザインや便座装置１００の置かれる空間などから特定する。便座装置１００の便蓋底面２０５の角度は、例えば１２０°と特定する。
次に、設定工程では、特定工程で特定した便座装置１００の便蓋底面２０５の角度から付勢機構２２０の側面視が長い支持軸２２１の角度Ａを設定する。
【００１８】
図５ａは、図１に表した便蓋２００の軸穴２０３と軸穴２０４を結んだ中心点から付勢機構側の軸穴を眺めた断面図で、図５ｂは図５ａに表した軸穴の拡大図である。
【００１９】
形成工程では、設定工程で設定した付勢機構２２０の側面視の長い軸の角度Ａから便蓋軸穴２０４を形成する。便蓋底面２０５を角度の基準としたとき、便蓋軸穴２０４の長手方向の面２０６は角度を有し、便蓋２００を全開した時、便蓋軸穴２０４の長手方向の面２０６の角度は、全開した時の付勢機構２２０の側面視の長い軸の角度Ａと同じ角度となる。
【００２０】
便蓋２００を本体部４００に取付ける際は、全開時に、自動開閉装置２１０側の軸支部２０１を先に取り付け、付勢機構２２０側の軸支部２０２を後から取り付ける。従来の便座装置の製造方法では、付勢機構２２０側の軸支部２０２は、全開時に、付勢機構２２０の側面視が長い軸の角度Ａと便蓋軸穴２０４の長手方向の面２０６の角度が不一致の場合、便蓋２００を便本体部４００に取り付けることが出来ない。本実施形態によると、全開時に、付勢機構２２０の側面視が長い軸角度Ａと、便蓋軸穴２０４の長手方向の面２０６の角度を合わせており、便蓋２００は本体部４００に取り付け可能である。
【００２１】
全開時に、付勢機構２２０の側面視が長い軸の角度Ａは、便蓋２００を閉じた場合の便蓋底面２０５を角度の基準としたとき、便蓋２００を全開する場合に便蓋底面２０６の角度が異なる複数の種類の便座装置１００の中から、便蓋底面２０５の角度が最も大きい便座装置１００を特定し、特定工程で特定した便座装置１００の便蓋底面２０５の角度から設定する。そのため、全開時の付勢機構２２０の側面視が長い軸の角度Ａは一定となる。
【００２２】
さらに、全開時に、付勢機構２２０の側面視が長い軸の角度Ａと、便蓋軸穴２０４の長手方向の面２０６の角度を合わせるために、便蓋底面２０５を角度の基準としたとき、便蓋軸穴２０４の長手方向の面２０６は角度を有している。
【００２３】
図６ａおよび図６ｂは、従来の付勢機構２２０と便蓋２００の角度の関係を示す図である。
【００２４】
従来は、全開時において、第一の角度Ｂの便蓋底面２０５の角度の便座装置１００に対し、第一の角度Ｂの側面視が長い軸角度の付勢機構２２０、第二の角度Ｃの便蓋底面２０５の角度の便座装置１００に対し、第二の角度Ｃの側面視が長い軸角度の付勢機構２２０、というように、全開時の便座装置の便蓋底面２０５の角度の種類に合わせて、付勢機構２２０の種類を持っていた。そのため、全開時に異なる便蓋底面２０５の角度の便座装置１００の種類が増えると、付勢機構２２０の種類も増える問題があった。
【００２５】
図７ａおよび図７ｂは、本実施形態の付勢機構２２０と便蓋２２０の角度の関係を示す図である。
【００２６】
しかし、本実施形態では、全開時において、第一の角度Ｄの便蓋底面２０５の角度の便座装置１００に対し、第三の角度Ｆの側面視が長い軸の角度の付勢機構２２０、第二の角度Ｅの便蓋底面２０５の角度の便座装置１００に対し、第三の角度Ｆの側面視が長い軸角度の付勢機構２２０、というように、全開時の便座装置１００の便蓋底面２０５の角度の種類によらず、同一の側面視が長い軸角度の付勢機構２２０を持つ。そのため、全開時に異なる便蓋底面２０５の角度の便座装置１００であっても、同一の付勢機構２２０を用いることが出来る。
【００２７】
以上、具体例を参照しつつ、本発明の実施の形態について説明した。しかし、本説明は、これらの具体例に限定されるものではない。
【００２８】
例えば、本実施例においては、便蓋軸支部２０１、便蓋軸支部２０２は、本体部４００の後方に設けられ、便蓋２００を閉じたとき、便蓋２００は、本体部４００の上面の全面を覆うように構成してある。ただし、本発明はこれには限定されず、本体部４００の上面が前面を覆われていない便座装置も含む。また、自動開閉装置２１０と付勢機構２２０を左右逆側に持つ場合も含む。また、便座装置１００は、便器８００と別体の場合を説明したが、便器８００と一体のものであってもよい。
【００２９】
また、全開時の便蓋底面２０５の角度を特定する特定工程で、便閉時に、便蓋２００の浮きを防ぐため、付勢機構の開方向へのトルクを便蓋２００の負荷トルクよりも小さくすることが好ましい。
【００３０】
また、各具体例のいずれか２つ以上の要素を技術的可能な範囲で組み合わせたものも、本発明の要旨を包含する限り本発明の範囲に含まれる。
【符号の説明】
【００３１】
１００  便座装置、
２００  便蓋、
２０１  便蓋軸支部、
２０２  便蓋軸支部、
２０３  便蓋軸穴、
２０４  便蓋軸穴、
２０５  便蓋底面、
２０６  便蓋軸穴の長手方向の面、
２１０  便蓋電動開閉、
２１１  便蓋電動開閉の軸、
２２０  付勢機構、
２２１  付勢機構の軸、
３００  便蓋、
３０１  便座軸支部、
３０２  便座軸支部、
４００  本体部、
４０１  ケースカバー、
８００  便器
【図１】
2016123523.tif 000003
【図２】
2016123523.tif 000004
【図３】
2016123523.tif 000005
【図４】
2016123523.tif 000006
【図５ａ】
2016123523.tif 000007
【図５ｂ】
2016123523.tif 000008
【図６ａ】
2016123523.tif 000009
【図６ｂ】
2016123523.tif 000010
【図７ａ】
2016123523.tif 000011
【図７ｂ】
2016123523.tif 000012